(57)【要約】  銃本体の側は銃本体側接続部（２４）を有し、バレルの側はバレル側接続部（２５）を有し、上記銃本体側接続部とバレル側接続部とは挿入構造により相互に接続し合うもので、上記銃本体側接続部は接続口から内方へ向けて形成された内周面（２６）を有し、上記バレル側接続部は上記内周面と嵌合するように形成された外周面（２７）を有するとともに、上記内周面と外周面はそれらの少なくとも一方がテーパー状に形成され、上記内周面と外周面の他方はテーパー状に沿って移動可能な形状に形成されており、銃本体側接続部とバレル側接続部が結合手段（３５）により中心線に沿う方向へ引き寄せられ、テーパー状の内周面又は外周面と上記移動可能な形状とが嵌合しバレルの芯出しがなされる。
2016181505.tif 000002
【特許請求の範囲】
【請求項１】
銃本体にバレルを取り付ける際に適用される芯出し装置であって、銃本体は銃本体側接続部を有し、バレルはバレル側接続部を有し、上記銃本体側接続部とバレル側接続部とは挿入構造により相互に接続し合うもので、上記銃本体側接続部は接続口から内方へ向けて形成された内周面を有し、上記バレル側接続部は上記内周面と嵌合するように形成された外周面を有するとともに、上記内周面と外周面はそれらの少なくとも一方がテーパー状に形成され、上記内周面と外周面の他方はテーパー状に沿って移動可能な形状に形成されており、銃本体側接続部とバレル側接続部が結合手段により中心線に沿う方向へ引き寄せられ、テーパー状の内周面又は外周面と上記移動可能な形状とが嵌合しバレルの芯出しがなされることを特徴とするバレル取付け用芯出し装置。
【請求項２】
結合手段は、オネジ部が設けられた銃本体側の接続部と、このオネジ部と螺合するメネジ部を有する結合リングとから成り、結合リングはバレルの外周に設けられた係合相手部と係合する係合部を有している請求項１記載のバレル取付け用芯出し装置。
【請求項３】
銃本体側接続部とバレル側接続部とは、両方がテーパー状に形成され、かつ、雌雄嵌合関係にあり、バレル側接続部はオス側を構成するとともに、当該バレルとは別部材で構成された割り筒状のコレットを有しており、かつ、メス側の銃側接続部に嵌めて締め付けられるコレットの取り付け部を兼ね、上記コレットの取り付け部はバレルの中心軸方向に細長いスリットを有し、そのスリットの方向がコレットの割り筒状部分の方向と一致している請求項１記載のバレル取付け用芯出し装置。
【発明の詳細な説明】
【技術分野】
【０００１】  本発明は、銃本体にバレルを取り付ける際に用いる、バレル取付け用芯出し装置に関するものである。
【背景技術】
【０００２】  実銃を模した銃及び殺傷能力のない銃について、本発明では模擬銃と総称している。模擬銃には様々な種類があり、かつては主として趣味の対象であったが、現在は各種組織、機関等においても演習などの際に、実銃の代わりとして広く用いられている。模擬銃という場合、弾丸を発射するために、例えば高圧ガスを用いるガスガン、圧縮空気を用いるエアガン、圧縮空気をピストンによって得る電動ガン等があるほか、弾丸発射を目的としないモデルガン等もあり、その種類及び商品展開は広範である。【０００３】  何れのタイプの銃であってもバレル即ち銃身を有しているが、そのバレルが銃本体とは別部材で製作され銃本体に取り付けられる場合、当然のことながら銃本体に対してバレルが正確に取り付けられていなければならない。というよりも、バレルは芯出しがなされているもの、と一般的には認識されている。しかし、銃本体側の取付け部分とバレルの加工精度が十分でない場合、取付けたバレルに傾きを生じたり、ガタつきを生じたりすることもあり得る。そのような状況では、弾丸を満足に飛ばすことすらできず、商品にもならないであろう。【０００４】  従来から各社は高い精度を保って模擬銃の製造を行なっているが、模擬銃を製造するメーカーにとって、そのための努力を持続することは必ずしも容易ではない。出願に先立ち先行技術を調査したが、参考になるものは見出せなかった。例えば、特開２０００−１２１２９２号は命中精度の向上を目的とする発明であり、そのバレルは後部にてワッシャにより装着固定され、その中心と装填ノズルの中心が一致するとされている。また、ワッシャを用いることなくねじ構造を用いて固定しても良いと記載されているが、芯出しのための新規な提案については何も見出すことができない。【０００５】
【特許文献１】特開２０００−１２１２９２号
【発明の開示】
【発明が解決しようとする課題】
【０００６】  本発明は前記の点に鑑みなされたもので、その課題は、組み立て等のための特別精密な装置や方法を準備しなくても、傾きやガタツキを生じることなく、バレルの正確な芯出しが行なえるようにすることである。また、本発明の他の課題は、バレル等の構成部品を組み立てる過程において、バレルの正確な芯出しが行なえる装置を提供することである。
【課題を解決するための手段】
【０００７】  前記の課題を解決するため、本発明は、銃本体にバレルを取り付ける際に適用される芯出し装置として、銃本体は銃本体側接続部を有し、バレルはバレル側接続部を有し、上記銃本体側接続部とバレル側接続部とは挿入構造により相互に接続し合うもので、上記銃本体側接続部は接続口から内方へ向けて形成された内周面を有し、上記バレル側接続部は上記内周面と嵌合するように形成された外周面を有するとともに、上記内周面と外周面はそれらの少なくとも一方がテーパー状に形成され、上記内周面と外周面の他方はテーパー状に沿って移動可能な形状に形成されており、銃本体側接続部とバレル側接続部が結合手段により中心線に沿う方向へ引き寄せられ、テーパー状の内周面又は外周面と上記移動可能な形状とが嵌合することによりバレルの芯出しがなされるようにするという手段を講じたものである。【０００８】  なお、バレルという場合、一般的には弾丸を発射する銃身を意味する。しかし、銃身は単一の部材とは限らず、バレルが通過する部分（インナーバレル）とその外周に配置される部分（アウターバレル）から成る二重構造のものもある。本発明におけるバレルは、主として銃本体に直接取り付けるバレルに適用されることになる。【０００９】  本発明の芯出し装置は、バレルを銃本体に取り付ける構造の銃に適用するもので、銃本体側接続部とバレル側接続部との中心を一致させるものである。従って、バレルは円筒のように中心を有し、また、銃本体側接続部も同様に中心を有しているが、弾丸発射機能を有するか否かについては、それが芯出しの重要な目的であるとしても必須ではない。よって、例えば、光線銃のようなものも本発明の対象となり、また、模擬銃のみならず実銃も対象となる。【００１０】  その構成において、銃本体はバレルとの挿入構造により接続し合う銃本体側接続部を有し、バレルは上記銃本体側接続部と挿入構造により接続し合うバレル側接続部を有している。銃本体側接続部とバレル側接続部は挿入し合う関係にあれば良く、後述する実施形態ではバレルの接続部が銃本体の接続口の内部に挿入される関係にあるが、どちらが内側でどちらが外側に配置されるかまでは限定しない。【００１１】  上記銃本体側接続部が接続口から内方へ向けて形成された内周面を有し、上記バレル側接続部は上記内周面と嵌合するように形成された外周面を有する。上記内周面と外周面はそれらの少なくとも一方がテーパー状に形成され、上記内周面と外周面の他方はテーパー状に沿って移動可能な形状に形成されている。その場合、内周面と外周面の内の他方は段状に形成することができ、段状の部分はテーパー状の内周面又は外周面と接触する。  また、内周面と外周面とが共にテーパー状の場合、銃本体側接続部のテーパーとバレル側接続部のテーパーとは一致しているもの（面接触可能な状態）とする。その結果、銃本体側接続部とバレル側接続部が結合手段により中心線方向へ引き寄せられることで、テーパー状の内周面とテーパー状の外周面とが嵌合しバレルの芯出しがなされる。【００１２】  本発明の装置において、結合手段が、オネジ部が設けられた銃本体側の接続部と、このオネジ部と螺合するメネジ部を有する結合リングとから成り、結合リングがバ���ルの外周に設けられた係合相手部と係合する係合部を有している構成は好ましいものである。【００１３】  上記銃本体側接続部とバレル側接続部とは雌雄嵌合関係にあり、バレル側接続部はオス側を構成するとともに、当該バレルとは別部材で構成された割り筒状のコレットを有しており、かつ、メス側の銃側接続部に嵌めて締め付けられるコレットの取り付け部を兼ね、上記コレットの取り付け部はバレルの中心軸方向に細長いスリットを有し、そのスリットの方向がコレットの割り筒状部分の方向と一致していることも好ましい形態である。
【発明の効果】
【００１４】  本発明は以上のように構成され、かつ、作用するものであるから、組み立て等のための特別精密な装置や方法を準備しなくても、銃本体側接続部とバレル側接続部とはそれらの内の少なくとも一方がテーパー形状に形成され、そのテーパー形状に沿って嵌合することによって傾きやガタツキを生じることなく、バレルの正確な芯出しを行なえるという効果を奏する。また、本発明によれば、バレル等の装置構成部品を組み立てる過程において、無駄なくバレルの正確な芯出しが行なえる装置を提供することができる。
【図面の簡単な説明】
【００１５】
【図１】本発明に係るバレル取付け用芯出し装置をガスガンに適用した一例を示す断面説明図である。
【図２】同上の装置を分解して示す斜視図である。
【図３】同上の装置を分解して示すもので、Ａは結合手段を破断して示した上面図、Ｂはバレルと銃本体側接続部を破断して示した上面図、Ｃは図３Ｂと９０度異なる断面を示した同様の側面図である。
【図４】同上の装置を組み立てて示すもので、Ａは結合手段部分を破断して示した上面図、Ｂはバレルと銃本体側接続部を破断して示した上面図、Ｃは図４Ｂと９０度異なる断面を示した同様の側面図である
【図５】同じく本発明における実施形態の例２を示すもので、Ａは装置を分解して示した上面図、Ｂはせ接続部のみ破断して示した上面図である。
【図６】同じく本発明における実施形態の例３を示すもので、Ａは装置を分解して示した上面図、Ｂはせ接続部のみ破断して示した上面図である。
【発明を実施するための最良の形態】
【００１６】  以下、図示の実施形態を参照して本発明を詳細に説明する。本発明の芯出し装置はあらゆる模擬銃に適用されるもので、ガスガンに限定されるものではないが、便宜上、ガスガンの概略について初めに説明する。なお、実施形態のバレルは前述したアウターバレルに当たる。【００１７】  図１はガスガンに本発明に係るバレル取付け用芯出し装置を適用した例を示しており、このガスガンは中央部に位置する銃本体１０には発射装置部１１があり、その前部にバレル１２が配置され、下部にマガジン部１３、後部にはボルトの収まるボルトアッシー組み込み部１４がそれぞれ配置されている。マガジン部１３にはＢＢ弾と呼ばれる球形の弾丸Ｂを収納した弾倉Ｍ、ガスが充填されたタンクＴ及びガス供給のための開閉弁機構１５が装備されている。【００１８】  図１において、弾丸Ｂは発射ノズル１６の前進により装弾部１７に装填され、ハンマー１８もコッキングされている。従って、トリガー１９の操作により、ハンマー１８がノッカー１８ａを打圧し、開閉弁機構１５が開弁してガスが供給されることで、弾丸Ｂの発射が可能なように構成されている。なお、マガジン部１３は銃本体１０に対して着脱可能であり、弾倉Ｍは前部に位置し、弾丸Ｂは装弾部１７の後方へ１発ずつ押し上げられる。【００１９】  ２０はピストン機構部であり、開閉弁機構１５の開弁により、装弾部１７にある弾丸Ｂにガスを噴射して発射させるとともに、弾丸発射後も継続して流入するガスの圧力によりピストン機構部２０が閉弁してシリンダー２１を後退させ、それと一体のボルト２２を後方へ移動させる機能を有している。このピストン機構２０は差圧弁と呼ばれる方式で作動するが、具体的には、特開２０１３−７６５２６号に詳細に記載されている制御弁装置の発明が適用される。【００２０】  ２３はバッファースプリングであり、上記後方へ移動するボルト２２の動きを緩衝させるように設けられている。バッファースプリング２３は上記緩衝の際に圧縮、蓄圧され、その後の弾発力で後退したボルト２２を前進させる。その結果、ボルト２２と一体のピストン機構２０は図１の状態に戻されるが、その間に給弾された弾丸Ｂがノズル１６にて装弾部１７に押し込まれるように構成されている。【００２１】  本発明が適用される銃本体１０は、その前端に銃本体側接続部２４として開口を備えている。他方、バレル１２の側において接続部２５となるのはその後端の部分である。この実施形態では、前述したようにバレル側接続部２５が銃本体の接続部２４の内部に挿入される関係になる（図２参照）。すなわち、銃本体側接続部２４とバレル側接続部２５とは雌雄嵌合関係にあり、バレル側接続部は２５オス側を構成する。【００２２】  上記銃本体側接続部２４は接続口の開口端から内方へ向けてテーパー状に形成された内周面２６を有する。他方の、上記バレル側接続部２５もまた、上記内周面２６と嵌合するテーパー状に形成された外周面２７を有している部分である。従って、図１〜図４に示した実施形態１は、内周面と外周面とが共にテーパー状の場合の例である。しかし、バレル１２を加工して外周面２７のテーパー形状を形成する必要はなく、実施形態として図示したバレル側接続部２５の場合、���該バレル１２の後端部２８と、これと別部材で構成された割り筒状のコレット２９とから構成している。従って、外周面２７はコレット２９の外周面として形成されている。【００２３】  上記コレット２９の取り付け部はバレル側接続部２５の後端であり、バレル１２の中心軸方向に細長いスリット３０を有し、スリット３０はその方向がコレット２９の割り筒状部分３１の方向と一致している。上記コレット２９は、その自然状態において外周面２７が銃本体側の内周面２６よりも僅かに大径に形成され、コレット２９の内径はバレル１２の後端部２８の外形よりも僅かに大径に形成され、後述する組み立て時に弾性変形し、緊締するように構成されている。【００２４】  上記テーパー状の内周面２６とテーパー状の外周面２７とはそれらが嵌合し、組み立てが完了したときにバレルの芯出しがなされるように、内周面２６と外周面２７のテーパー形状が設計される。このテーパー状の内周面２６とテーパー状の外周面２７とが嵌合し、バレルの芯出しがなされることを本発明においてテーパー嵌合と呼ぶことにする。テーパー嵌合状態では、内周面２６と外周面２７とが嵌合しバレルの芯出しがなされたときに、実質的な面接触状態になる。【００２５】  上記銃本体側接続部２４とバレル側接続部２５とは、結合手段３５により中心線方向へ引き寄せられるように構成されている。上記結合手段３５は、オネジ部３２が設けられた銃本体側接続部２４と、オネジ部３２と螺合するメネジ部３３を有する結合リング３４とから成る（図３等参照）。オネジ部３２は結合手段３５の一方を構成し、前記銃本体側接続部２４の円形枠状部分の外周に形成されている。【００２６】  結合手段の他方を構成する結合リング３４は文字通りリング状の部材から成り、バレル１２の外周に先端から嵌め合わせられる。結合リング３４はメネジ部３３よりも前側に配置された係合部３７を有しており、係合部３７は、バレル１２の外周に設けられた係合相手部３６と係合する。上記係合相手部３６は後端部２８の境界に形成されている。なお、バレル１２の後端部２８とコレット２９には、割り筒状部分３１の方向と一致する切り欠き部２８ａ、２９ａがそれぞれ設けられている。【００２７】  本発明のバレル取付け用芯出し装置はこのように構成されており、銃本体側接続部２４にバレル１２を接続するに当たってコレット２９を使用することで芯出しを行うことができる。すなわち、コレット２９をバレル１２の後端部２８に、スリット３０と割筒状部分３１の位置を合わせて嵌め込み、次に同様に、バレル１２を、コレット２９の位置を銃本体側接続部２４の内部に位置を合わせて挿入する。【００２８】  コレット２９が銃本体側接続部２４の内部に挿入された後、結合リング３４をバレル後端迄移動し、そのメネジ部３３と銃本体１０のオネジ部３２とを螺合させる。上記螺合が進むことで係合部３７が係合相手部３６と係合するようになり、それに伴いバレル１２が銃本体１０の方向へ引き寄せられ（図４Ｂの→）、コレット２９の外周面２７と銃本体側の内周面２６とが接触し合うようになる。【００２９】  さらに結合リング３４の螺合が進むと、コレット２９の外周面２７と銃本体側の内周面２６との接触圧力がより強��り、それによってコレット２９は僅かに弾性変形し、バレルの後端部２８をより強い圧迫力で締め付けるようになる。こうして、銃本体側接続部２４とバレル側接続部２５が結合手段３５により中心線方向へ引き寄せられながら、テーパー状の内周面２６とテーパー状の外周面２７とが嵌合しバレル１２の芯出しが完成する。【００３０】  次に、実施形態の例２、３について説明する。例２、３は上記内周面２６と外周面２７の少なくとも一方がテーパー状に形成され、上記内周面２６と外周面２７の他方はテーパー状に沿って移動可能な形状に形成されている例である。図５に示した例２では、コレット２９の外周面２７をテーパー状に形成し、銃本体側接続部２４の内周面２６には、開口径の異なる３段状の角３８を形成している。３段の角３８は、テーパー状の外周面２７が接触して移動可能な状態にある。【００３１】  例２において、段状の角３８は３段階であるがこれに限るものではない。角３８はテーパー状の傾斜に接触する段状（内径）に形成されている。よって、コレット２９をバレル１２の後端部２８に嵌め、銃本体側接続部２４に開口から挿入し、結合リング３４を前記と同様に螺合させることで、３段状の角３８とテーパー状の外周面２７が嵌合する。【００３２】  図６の例３は、銃本体側接続部２４の内周面２６をテーパー状に形成し、コレット２９の外周面２７には外径の異なる部分を設けて、テーパー状の内周面２６が移動可能な段状の角３９を形成したものである。例３の場合は段状の角３９の数が二つと少ないため、最も容易に実施可能であり、前記と同様に結合リング３４を銃本体側に螺合させることで、バレル１２の芯出しを行ないつつ銃本体１０への取り付けがなされる。【００３３】  上記のように、本発明によれば、バレル１２を銃本体１０に取り付ける過程がそのまま芯出しのための過程でもあり、かつ、その構成要素の全てがバレル１２を銃本体１０に取り付けるために使用されるものである。従って、無駄がなく、本発明の属する分野において類似技術を見出すことができない、前例のない新規な提案であるということができる。
【符号の説明】
【００３４】  １０  銃本体  １１  発射装置部  １２  バレル  １５  開閉弁機構  １９  トリガー  ２０  ピストン機構部  ２１  シリンダー  ２２  ボルト  ２４  銃本体側接続部  ２５  バレル側接続部  ２６  内周面  ２７  外周面  ２８  バレルの後端部  ２９  コレット  ３０  スリット  ３１  割筒状部分  ３２  オネジ部  ３３  メネジ部  ３４  結合リング  ３５  結合手段  ３６  係合相手部  ３７  係合部  ３８、３９  段状の角
【図１】
2016181505.tif 000003
【図２】
2016181505.tif 000004
【図３】
2016181505.tif 000005
【図４】
2016181505.tif 000006
【図５】
2016181505.tif 000007
【図６】
2016181505.tif 000008
【国際調査報告】
2016181505.tif 000009
2016181505.tif 000010